(57)【要約】【課題】            従来の耳標の取り付け用具は、人力（握力）を基本としているため、作業者にとって強いパワーが要求され、時として一気に装着することができなかったり、連続しての作業に大きな疲労、苦痛が強いられてしまうという点である。【解決手段】        一部にエアシリンダを固着装備した基体と、その基体に備えられたグリップ部と、エアバルブと、そのエアバルブに圧縮空気を送るコンプレッサーと、前記エアバルブのピストンを押圧して圧縮空気を前記エアシリンダに送るトリガーとを有し、前記した基体に装備され、エアシリンダのピストン側に固定された耳標のセット部を設け、そのセット部のエアシリンダのピストン側には耳標の挿し込み体の装着ピンを備え、その装着ピンと直線的に対応するセット部の対向側には前記挿し込み体が挿入され、ロックされる受体の装着部を備えていることとする。【選択図】          図１
2010183865.tif 000002
【特許請求の範囲】
【請求項１】
一部にエアシリンダを固着装備した基体と、その基体に備えられたグリップ部と、エアバルブと、そのエアバルブに圧縮空気を送るコンプレッサーと、前記エアバルブのピストンを押圧して圧縮空気を前記エアシリンダに送るトリガーとを有し、前記した基体に装備され、エアシリンダのピストン側に固定された耳標のセット部を設け、そのセット部のエアシリンダのピストン側には耳標の挿し込み体の装着ピンを備え、その装着ピンと直線的に対応するセット部の対向側には前記挿し込み体が挿入され、ロックされる受体の装着部を備えていることを特徴とする耳標の取り付け用具。
【請求項２】
前記した耳標のセット部は動物の耳殻を挟むことができるようＵ字形あるいはＶ字形の一体物であることを特徴とする請求項１に記載の耳標の取り付け用具。
【請求項３】
前記した耳標のセット部における受体の装着部には、受体の筒部を挟持する、上方を開放した板バネ体が設けられていることを特徴とする請求項１または請求項２に記載の耳標の取り付け用具。
【請求項４】
前記した耳標のセット部における受体の装着部には、受体の筒部外面に形成された係合フランジと係合する内側フランジを設けるとともに、受体の耳殻挟持用フランジの基端に形成されたフィンとの嵌合部を形成してあることを特徴とする請求項１または請求項２に記載の耳標の取り付け用具。
【請求項５】
前記した耳標のセット部には採血容器を吊持することができる透孔あるいはフック部が形成されていることを特徴とする請求項１、請求項２、請求項３または請求項４に記載の耳標の取り付け用具。
【請求項６】
前記したエアシリンダ、グリップはカバーで被覆され、そのカバーには本体を吊持することができる透孔あるいはフック部が形成されていることを特徴とする請求項１、請求項２、請求項３、請求項４または請求項５に記載の耳標の取り付け用具。
【発明の詳細な説明】
【技術分野】
【０００１】
本発明は牛や豚等の家畜類に個体識別のため、耳殻に装着する耳標の取り付け用具に関する。
【背景技術】
【０００２】
従来、牛や豚等の家畜は食肉として出荷されることから個体を識別するため耳標が耳殻に装着され、この耳標には近時より明確に情報を判別するため個体情報が入力されたＩＣチップが具備されるようになり、加えてＤＮＡ情報も明確とするため耳標の装着時における出血を採血容器に採取し保存しておくことが行なわれている。
【０００３】
この耳標は通常、筒体とその筒体の一方開口縁に設けられたフランジとより成る受体と、その受体の筒体に挿入され、先端にニードル部を有する挿し込み部と、その挿し込み部の基端に設けられたフランジとより成る挿し込み体との組み合わせとなっている。
【０００４】
そして、この耳標の耳殻への取り付けは、耳殻の一方面に耳標の受体を宛がい、その受体の筒体に挿し込み体の挿し込み部を先端のニードルで耳殻の軟骨を砕きながら貫通させて行なわれる。
【０００５】
この取り付け作業には約６０ｋｇ相当の強いパワーが必要となり、人力ではとても対応できるものではなく、専用の取り付け用具が用いられることとなり、この取り付け用具はペンチ型のものとされている。しかし、このタイプの取り付け用具では作業者は数をこなしきれず、連続しての作業も疲労と苦痛を伴もなうものとなってしまう。
【先行技術文献】
【特許文献】
【０００６】
【特許文献１】特願２００８−２９５４７６号出願書類
【発明の概要】
【発明が解決しようとする課題】
【０００７】
本発明が解決しようとする問題点は、従来の耳標の取り付け用具は、人力（握力）を基本としているため、作業者にとって強いパワーが要求され、時として一気に装着することができなかったり、連続しての作業に大きな疲労、苦痛が強いられてしまうという点である。
【課題を解決するための手段】
【０００８】
上記した問題点を解決するために、本発明に係る耳標の取り付け用具は一部にエアシリンダを固着装備した基体と、その基体に備えられたグリップ部と、エアバルブと、そのエアバルブに圧縮空気を送るコンプレッサーと、前記エアバルブのピストンを押圧して圧縮空気を前記エアシリンダに送るトリガーとを有し、前記した基体に装備され、エアシリンダのピストン側に固定された耳標のセット部を設け、そのセット部のエアシリンダのピストン側には耳標の挿し込み体の装着ピンを備え、その装着ピンと直線的に対応するセット部の対向側には前記挿し込み体が挿入され、ロックされる受体の装着部を備えていることを特徴としている。
【０００９】
また、本発明に係る耳標の取り付け用具は前記した耳標のセット部は動物の耳殻を挟むことができるようＵ字形あるいはＶ字形の一体物であることを特徴とし、前記した耳標のセット部における受体の装着部には、受体の筒部を挟持する、上方を開放した板バネ体が設けられていることを特徴とし、前記した耳標のセット部における受体の装着部には、受体の筒部外面に形成された係合フランジと係合する内側フランジを設けるとともに、受体の耳殻挟持用フランジの基端に形成されたフィンとの嵌合部を形成してあることを特徴としている。
【００１０】
さらに、本発明に係る耳標の取り付け用具は前記した耳標のセット部には採血容器を吊持することができる透孔あるいはフック部が形成されていることを特徴とし、前記したエアシリンダ、グリップはカバーで被覆され、そのカバーには本体を吊持することができる透孔あるいはフック部が形成されていることを特徴としている。
【発明の効果】
【００１１】
本発明に係る耳標の取り付け用具は上記のように構成されている。そのため、耳標の耳殻への取り付け作業におけるパワーは圧縮空気を利用した強力なものとなり、作業者はトリガーを介してエアバルブのピストンを操作するのみの簡単で力のいらない作業を行なえば済むので、連続しての取り付け作業も容易に、かつ、苦痛を伴もなうことなく実行することができることとなる。
【図面の簡単な説明】
【００１２】
【図１】本発明に係る耳標の取り付け用具を示す側断面図である。
【図２】背面図である。
【図３】グリップの底面から内部を見た図である。
【図４】カバーを被覆した状態を示す側面図である。
【図５】受体を挟持する板バネを示す斜視図である。
【図６】板バネの装着状態を示す側面図である。
【図７】平面図である。
【図８】正面図である。
【図９】別の例とした受体の装着状態を示す図である。
【図１０】別の例の装着部を示す図である。
【図１１】フィンを示す図である。
【図１２】採血容器を吊持するための吊持部材の吊り部を示す正面図である。
【発明を実施するための形態】
【００１３】
図面として示し、実施例で説明したように構成することで実現した。
【実施例１】
【００１４】
次に、図面を参照して本発明の好ましい実施の一例を説明する。これらの図にあって１は基体を示しており、この基体１の下面にはグリップ２が一体に成形されている。このグリップ２は中空とされ、その底面から図示しないエアコンプレッサーとチューブで連結され、圧縮空気Ａが注入されるようになっている。
【００１５】
また、前記グリップ２内にはエアバルブ３が内蔵されている。このエアバルブ３は流路を二分岐させるタイプのものとなっており、その切り換えのためのピストンのヘッド４はグリップ２の前方側に突出されており、その先端に押圧力を受けるための当接部５がヘッド４より大径のものとして一体に備えられている。
【００１６】
前記した当接部５は、基体１の前方側寄りにピン６ａで枢支されたトリガー６によって押圧操作されるものとなっている。即ち、本実施例におけるエアバルブ３はバルブプランジャとして作用して、圧縮空気の流入、流出を調整することとなる。
【００１７】
一方、前記基体１上にはエアシリンダ（コントロールシリンダ）７が固着搭載されているもので、このエアシリンダ７には前記エアバルブ３から分岐された圧縮空気Ａが前端及び後端に供給されるものとなっている。
【００１８】
このエアシリンダ７の前方側には内部の圧縮空気の圧力によって突出されるピストン８が設けられている。即ち、エアシリンダ７にあってはエキゾーストバルブの作用、あるいはエキゾーストシャッタを作動させることによってピストン８を圧縮空気の流出力によって突出作動させ、負圧によって復元させる。
【００１９】
また、基体１の前端には耳標のセット部９が別部材によって一体的に設けられている。このセット部９は基端側に、駆動するピストン８の部分を被包する大径部９ａを有し、全体として上方を開放した略Ｕ字状の形状をしている。尚、本願は耳標の取り付け用具に関するものであるので、耳標自体についての詳細な説明は省略する。
【００２０】
そして、このセット部９には大径部９ａの前面に耳標の挿し込み体のフランジを受ける円板状をした受板１０が設けられ、その受板１０の中央から耳標の挿し込み体における、先端にニードル部を備えた挿し込み部の中空部に挿入される装着ピン１１が備えられ、この装着ピン１１の基端はピストン８の先端面に固着されている。また、装着ピン１１には受板１０の前面部分で挿し込み部の中空部の径よりやや大径としたストッパ１２が設けられている。
【００２１】
さらに、このセット部９の先端側には、耳標の受体の装着部１３が設けられている。この装着部１３の配備位置は装着ピン１１にセットされた耳標の挿し込み体の挿し込み部が、受体Ｂの筒体Ｂ１の軸芯に対し、直線上となるものとされている。
【００２２】
また、図中１４はＤＮＡ採取のための採血容器を落下防止するため吊持する吊持体、あるいはその吊持体を掛けるリングの取り付け用透孔であり、この透孔１４はフック等の他の吊り支持の構成でもよい。
【００２３】
受体Ｂの装着部１３には図５として示す、受体Ｂの筒部Ｂ１を挟持する板バネ１５が備えられる。この板バネ１５は上方を開放した略Ｕ字形をしており、その対向する側壁部に各々外方へ膨出した膨出部１５ａ、１５ａを形成し、この膨出部１５ａ、１５ａ間で筒部Ｂ１を密に挟持することとなる。この装着状態で受体Ｂのフランジは装着部１３の内面に密に当接される。また、板バネ１５はネジ１６によって、その底板部分を装着部１３に締着固定される。この構成で受体Ｂ１は装着部１３、強いては板バネ１５に対して、ワンタッチで着脱が可能とされる。
【００２４】
また、受体Ｂの装着部１３は図９〜図１１として示す構成とすることができる。この図９〜図１１では装着部１３に後述する受体Ｂのフィン２２と嵌合する嵌合部２３、２３が形成されており、この嵌合によって装着時における受部Ｂの落下を防止する。対応する受部Ｂには、耳殻を挟持するためのフランジＢ２と筒部Ｂ１の外面との基部にフィン２２が形成されており、さらに、筒体Ｂ１の外周に係合用フランジＢ３が形成されているもので、この係合用フランジＢ３が装着部１３の内面に設けられた内側フランジ２４と係合されている。
【００２５】
前記した係合用フランジＢ３と内側フランジ２４との存在によって、挿し込み体から装着ピン１１を外す際の作業が各フランジＢ３と２４の引っ掛かりで容易に実行できることとなる。かかる装着部１３の構成は受体Ｂを装着する作業が片手で可能となり、パーツも少なく安価となり、故障が生じることも少なく、デザイン的にもシンプルですっきりしたものとなる。
【００２６】
また、本実施例に係る耳標の取り付け用具は、少なくとも基体１、グリップ２及びエアシリンダ７のパートをカバー１７で被覆され、外観上の美感や外衝の防護を図っている。このカバー１７には取り付け用具自体を吊持するための透孔１８ａ、１８ｂが適宜位置に形成される。取り付け用具自体を吊持すると、机上や地上等に取り付け用具を置き、また取り上げるという作業を省くことができる。尚、吊持に用いる紐は、通常の紐のほか、コイルスプリングやゴムを含めた意味でのエラストマー等の伸縮性を保有する素材を使用すると、さらに作業が行ない易くなる。尚、前記した透孔１８ａ、１８ｂはフック等に代替することも可能である。
【００２７】
さらに、透孔１４に吊持されるあるいはリングを介して吊持される採血容器の吊持部材１９は、その吊り掛けリング部２０にスリット２０ａを形成しておくと、このスリット２０ａを利用して一気に取り外すことができる。この吊持部材１９は吊り掛けリング２０の下方に延伸加工されたファイバー２１を一体に有しており、その先端に採血容器を係止しておくものとなる。尚、採血容器は受体Ｂの筒体Ｂ１の二次側にセットされ、挿し込み体の挿し込み部の先端ニードルで突かれることにより、受体Ｂから外されることとなり、この際の落下防止のため、この採血容器をセット部９に吊持しておくこととなる。
【産業上の利用可能性】
【００２８】
本実施例における耳標の取り付け用具は上記のように構成されている。また、装着部１３における構造は板バネ１５や嵌合部２３の存在に代えて、上端をフォーク状とした板体を用い、その板体の中程に設けられたブラケットで枢支し、下端をスプリングで附勢した構成のものとすることもできる。この構造では、スプリングに抗して下端を押し、シーソー状に上端と装着部１３の間に隙間を作り、そこに受体Ｂを装着して、フォーク状の先端でフランジ部分を抑える構成となる。
【００２９】
また、耳標のセット部９も耳殻を入れる開放部があり、挿し込み体と受体が直線上に装着配備される構成であればよく、Ｕ字形に代えてＶ字形等としてもよい。
【符号の説明】
【００３０】
１    基体
２    グリップ
３    エアバルブ
４    ピストン
５    当接部
６    トリガー
６ａ  ピン
７    エアシリンダ
８    ピストン
９    耳標のセット部
９ａ  大径部
１０  受板
１１  装着ピン
１２  ストッパ
１３  装着部
１４  透孔
１５  板バネ
１５ａ  膨出部
１６  ネジ
１７  カバー
１８ａ  透孔
１８ｂ  透孔
１９  吊持部材
２０  リング部
２０ａ  スリット
２１  ファイバー
２２  フィン
２３  嵌合部
２４  内側フランジ
Ｂ    受体
Ｂ１  筒体
Ｂ３  係合フランジ
【図１】
2010183865.tif 000003
【図２】
2010183865.tif 000004
【図３】
2010183865.tif 000005
【図４】
2010183865.tif 000006
【図５】
2010183865.tif 000007
【図６】
2010183865.tif 000008
【図７】
2010183865.tif 000009
【図８】
2010183865.tif 000010
【図９】
2010183865.tif 000011
【図１０】
2010183865.tif 000012
【図１１】
2010183865.tif 000013
【図１２】
2010183865.tif 000014